(57)【要約】【課題】  本発明は、レジストラインの幅を管理しやすく、パターンのファイン化に対応でき、また、サテライト(mist)の発生を防止でき、かつ、両面画像形成を可能にするディスペンサー方式によるレジストパターンの形成装置を提供することを目的としている。【解決手段】  上記課題を解決するために、本発明に係るレジストパターン形成装置の代表的な構成は、基板１を搬送する基板搬送手段10と、前記基板１にレジストパターンを転写する転写手段11と、前記転写手段11にレジストインクを吐出するディスペンサー12とを備えたことを特徴とする。【選択図】    図１
2006202878.tif 000002
【特許請求の範囲】
【請求項１】
基板を搬送する基板搬送手段と、
前記基板にレジストパターンを転写する転写手段と、
前記転写手段にレジストインクを吐出するディスペンサーと、
前記転写手段上に吐出されたレジストインクを硬化させる硬化反応機構とを備えたことを特徴とするレジストパターン形成装置。
【請求項２】
前記基板搬送手段による基板の搬送面に対し、
前記転写手段、前記ディスペンサー、および前記硬化反応機構は、前記搬送面の両側に少なくとも１つずつ配置されていることを特徴とする請求項１記載のレジストパターン形成装置。
【請求項３】
前記硬化反応機構は前記転写手段の内側に配置され、前記転写手段上に吐出された前記レジストインクを該転写手段側から硬化させることを特徴とする請求項１記載のレジストパターン形成装置。
【請求項４】
前記硬化反応機構は、加熱機構または紫外線照射機構であることを特徴とする請求項１記載のレジストパターン形成装置。
【請求項５】
前記転写手段の少なくとも表面が撥インク性であることを特徴とする請求項１記載のレジストパターン形成装置。
【請求項６】
前記基板が前記転写手段と接触する転写位置に搬送される前に、該基板をあらかじめ加熱する基板予熱手段を備えたことを特徴とする請求項１記載のレジストパターン形成装置。
【請求項７】
前記基板搬送手段による基板の搬送面はほぼ水平面であって、
前記転写手段および前記ディスペンサーは前記搬送面の下側に配置されていることを特徴とする請求項１記載のレジストパターン形成装置。
【請求項８】
前記転写手段の下側に、該転写手段をレジスト液に浸すためのレジスト液槽と、前記レジスト液槽を上下動させるためのステージとを備えたことを特徴とする請求項７記載のレジストパターン形成装置。
【請求項９】
回転する転写手段の表面にディスペンサーからレジストインクを吐出してレジストパターンを形成する工程と、
前記転写手段上のレジストインクを硬化反応機構によって硬化させる工程と、
基板搬送手段によって搬送する基板に回転する前記転写手段上のレジストパターンを転写する工程とを有することを特徴とするレジストパターン形成方法。
【請求項１０】
前記硬化反応機構は前記転写手段の内側に配置され、
前記レジストインクを硬化させる工程は、該レジストインクを転写手段側から硬化させ、
前記レジストパターンを転写する工程は、前記レジストインクの転写手段側は硬化し、かつ外表面は完全には硬化していない状態で行うことを特徴とする請求項９記載のレジストパターン形成方法。
【請求項１１】
請求項９記載の方法により前記基板上にレジストパターンを形成した後、該レジストパターンの無い部分の銅箔をエッチング法により除去し、その後に基板からレジストパターンを剥離除去することを特徴とする導体パターンの形成方法。
【請求項１２】
請求項９記載の方法により前記基板上にレジストパターンを形成した後、該レジストパターンの無い部分にめっき法により金属パターンを形成し、その後に基板からレジストパターンを剥離除去することを特徴とする導体パターンの形成方法。
【発明の詳細な説明】
【技術分野】
【０００１】
本発明は、レジスト直描方式によるレジストパターン、導体パターン、プリント配線板の作成方法に関する。具体的には、ディスペンサーおよび硬化反応機構を備えた転写手段を含むディスペンサーシステムとを用いた、転写方式のレジストパターン、導体パターン、プリント配線板の作成方法に関する。
【背景技術】
【０００２】
従来、プリント配線板を製造する方法の具体例としては、フォトリソグラフィ法が用いられている。このフォトリソグラフィ法による製造工程の一例について、図５を用いて簡略に説明する。
【０００３】
図５（ａ）に示すように、例えば、まず絶縁層101と銅箔102とからなる銅張積層板100において、レジスト層が形成しやすいように銅箔102の表面を研磨する。そして図５（ｂ）に示すように、銅箔102の上にドライフィルムレジストなどからなるフォトレジスト層103を形成する。なお、レジスト液を塗布して硬化させることによりフォトレジスト層を形成する構成も一般的である。ついで、図５（ｃ）に示すようにフォトレジスト層103の表面にフォトマスク104を介して紫外線を照射し、フォトレジスト層103を光硬化させる。この後、図５（ｄ）に示すように、有機溶剤やアルカリ水溶液などの現像液を用いて、未硬化部分のフォトレジスト層103を除去してレジストパターン103ａを形成する。ついで、図５（ｅ）に示すように、レジストパターン103ａに覆われていない部分の銅箔102をエッチングにより除去した後、図５（ｆ）に示すようにレジストパターン103ａを除去して導体パターン102ａを形成するとプリント配線板が得られる。
【０００４】
しかしながら、上記フォトリソグラフィ法では、フォトマスク104の作製に非常に長時間を要するため、プリント配線板の作製所要時間が長くなってしまうという欠点があった。また、レジストパターン103ａを形成するために有機溶剤やアルカリ水溶液などを用いて現像を行うため、プリント配線板の作製所要時間が長くなるとともに、廃液処理の問題があった。
【０００５】
上記問題を解決するために、近年、レジストインクをインクジェット方式を用いて基板上に吹き付け、所望のレジストパターンを形成する方法が提案された（特許文献１）。この方法によれば、フォトマスクを製作する必要がなく、現像も行わないため、プリント配線板の作製所要時間を大幅に短縮することが可能である。また、レジストパターン103ａを形成するための溶液の廃液処理の負担を低減することも可能である。
【０００６】
【特許文献１】特開平６−２３７０６３号公報
【発明の開示】
【発明が解決しようとする課題】
【０００７】
しかし、技術および生産性の面から下記の問題点が指摘されており、インクジェット方式によるレジストパターンの形成方法は、現在まで実用化は困難と考えられていた。
【０００８】
技術上の問題としては、以下の点が挙げられる。（１）レジストインクの液滴が着弾後、流れ径が拡がりやすく、設計幅よりもラインが太くなる。（２）レジストインクの液滴が着弾後、液が塗布領域の縁部に集まって厚くなり、それに伴って中心部のレジスト皮膜が薄くなる。そのため、中心部が正常にレジストされないおそれがある。（３）レジストインクの液滴を吐出、着弾した際に、飛沫が発生し、意図しない部分にレジスト皮膜が形成されてしまう場合がある（サテライトまたはmistという）。これを放置したままで配線板を作成すると、ショートが発生する危険性があった。
【０００９】
生産性の問題としては、以下の点が挙げられる。（１）インクジェット方式では、上方に向かってインクを吐出することは困難である。このため、基板の両面に導電パターンを形成する場合には、レジストインクを塗布する為に、インクジェット装置を２台並べる必要があり、かつ２台のインクジェット装置の間で基板を裏返す必要がある。このため生産ラインが複雑になり、かつ長くなるという問題がある。（２）面積が大きいベタ(塗り潰し)のパターンでは、インクジェットで全面に吐出する必要があるため、描画に大変な時間がかかる。（３）レジストインクが熱硬化型である場合に、基板に塗布した後に硬化させるためには、ある程度大きな熱量を出力する熱乾燥炉が必要となる。しかし、そのような熱乾燥炉は周囲にも熱を放出してしまうため、空調管理しているクリーンルーム内では導入し難いという問題がある。
【００１０】
そこで本発明は、レジストラインの幅を管理しやすく、パターンのファイン化に対応でき、また、サテライト(mist)の発生を防止でき、かつ、両面画像形成を可能にするディスペンサー方式によるレジストパターンの形成装置を提供することを目的としている。
【課題を解決するための手段】
【００１１】
上記課題を解決するために、本発明に係るレジストパターン形成装置の代表的な構成は、基板を搬送する基板搬送手段と、前記基板にレジストパターンを転写する転写手段と、前記転写手段にレジストインクを吐出するディスペンサーとを備えたことを特徴とする。このように転写手段を用いて基板にレジストパターンを形成することにより、ディスペンサーその他の装置の配置の自由度を向上させることができる。従って装置の小型化、および他の追加的な構成をとることができる。
【００１２】
また、前記転写手段上に吐出されたレジストインクを硬化させる硬化反応機構を備えたことを特徴とする。これによりレジストインクを早期に硬化させることができるため、転写手段上に吐出されたインクが拡がることを防止することができる。
【００１３】
また、前記基板搬送手段による基板の搬送面に対し、前記転写手段、前記ディスペンサー、および前記硬化反応機構は、前記搬送面の両側に少なくとも１つずつ配置されていることを特徴とする。転写手段を用いたことにより、ディスペンサーを基板よりも下側に配置することが可能である。このように構成することにより、基板の表裏両面に一度にレジストパターンを形成することができ、作業時間の短縮、装置設備の小型化を図ることができる。
【００１４】
また、前記硬化反応機構は前記転写手段の内側に配置され、前記転写手段上に吐出された前記レジストインクを該転写手段側から硬化させることを特徴とする。半硬化部の存在により、レジストパターンの転写手段から基板への転写を容易かつ確実なものとすることができる。
【００１５】
また前記硬化反応機構は、加熱機構または紫外線照射機構であることを特徴とする。加熱機構を用いた場合には、転写手段上でレジストインクを硬化させる熱量があれば足りるため、空調管理しているクリーンルーム内であっても導入が容易である。特に、転写手段内部に加熱機構を配置する場合に、上記作用が顕著である。また紫外線照射機構を用いた場合には、放熱の問題が生じない利点がある。なお転写手段内部に紫外線照射機構を用いる場合には、転写手段を透光性部材にて構成する。
【００１６】
また、前記転写手段の少なくとも表面が撥インク性であることを特徴とする。これにより、転写手段上に吐出されたインクが拡がることを防止することができ、パターンのファイン化を図ることができる。なお転写手段の材料自体に撥インク性を有するものを用いてもよいし、転写手段に所定の表面処理をすることにより撥インク性を持たせてもよい。また、転写手段上に形成されたレジストパターンを基板に転写する際の転写性を向上させることができる。なお、あわせてレジストインクの吐出に際して剥離剤を塗布することが好ましい。
【００１７】
また、前記基板が前記転写手段と接触する転写位置に搬送される前に、該基板をあらかじめ加熱する基板予熱手段を備えたことを特徴とする。これにより、転写手段から転写したレジストパターンの基板に対する定着性を向上させることができる。
【００１８】
また、本発明に係るレジストパターン形成方法の代表的な構成は、回転する転写手段の表面にディスペンサーからレジストインクを吐出してレジストパターンを形成する工程と、前記転写手段上のレジストインクを硬化反応機構によって硬化させる工程と、基板搬送手段によって搬送する基板に回転する前記転写手段上のレジストパターンを転写する工程とを有することを特徴とする。これによりインクが拡がることことを防止すると共に、転写手段からの剥離を容易かつ確実とすることができる。
【００１９】
また上記方法において、前記硬化反応機構は前記転写手段の内側に配置され、前記レジストインクを硬化させる工程は、該レジストインクを転写手段側から硬化させ、前記レジストパターンを転写する工程は、前記レジストインクの転写手段側は硬化し、かつ外表面は完全には硬化していない状態で行うことを特徴とする。これにより、基板へのレジストパターンの転写性を損なうことなく、レジストパターンの転写手段から基板への転写を容易かつ確実なものとすることができる。
【００２０】
また上記方法を用いて形成したレジストパターンがネガティブである場合には、前記基板上にレジストパターンを形成した後、該レジストパターンの無い部分の銅箔をエッチング法により除去し、その後に基板からレジストパターンを剥離除去することにより導体パターンを形成することができる。レジストパターンがポジティブである場合には、前記基板上にレジストパターンを形成した後、該レジストパターンの無い部分にめっき法により金属パターンを形成し、その後に基板からレジストパターンを剥離除去することにより導体パターンを形成することができる。
【００２１】
また、レジストインクとして、導体パターンを形成するためのレジスト液のほか、ソルダーレジストを形成するためのレジストインクも用いることができる。さらに、レジストインクに代えて、シンボル印刷を行うためのカラーインクも用いることができる。
【発明の効果】
【００２２】
本発明によれば、レジストパターン形成においてインクジェット方式を用いた場合の課題を解決し、インクが拡がることを防止してパターンのファイン化を図ることができる。更にインクジェット方式に比べ粘度を高くできるため、レジストパターンの厚みも確保し易く、レジストパターンがポジティブである場合には、めっきを厚くでき、導体の抵抗値を下げることもできる。
【発明を実施するための最良の形態】
【００２３】
｛第１実施例｝
本発明に係るレジストパターン形成装置および形成方法の第１実施例について説明する。図１は第１実施例に係るレジストパターン形成装置の概略構成を説明する図、図２はレジストパターン形成方法を説明する概略工程図、図３は転写の際のレジストパターンの状態を説明する図である。
【００２４】
図１に示すレジストパターン形成装置は、基板１（銅張積層板）を搬送する基板搬送手段の例としての搬送ローラ10と、基板１にレジストパターンを転写する転写手段の例としての転写ローラ11と、転写ローラ11にレジストインクを吐出するディスペンサー12とを備えている。ディスペンサー12は転写ローラ11の幅方向に走査する（往復移動する）シリアル式でもよく、また転写ローラ11と同じ幅を有するライン式でもよい。
【００２５】
ディスペンサー12は、その先端より微少量のレジストインクを定量的に、必要に応じて連続的に吐出することが出来る。背景技術に挙げたインクジェット方式と比較すると、インクジェット方式におけるレジストインクの液滴が着弾した際に発生する流れ径の拡がり、塗布縁部と中心部の膜厚不均衡、サテライトを抑制することが出来る。結果、意図したパターンに忠実なレジストパターンを作成することが出来る。さらに、レジストインクが飛行しないので気流による影響が少なく描画精度が向上し、パターンの再現性が向上する。
【００２６】
インクジェット方式においては噴射性の観点から、レジストインクの粘度を低く調整するか噴射時に加熱して粘度を低下させることが望まれるが、ディスペンサーを用いる場合は噴射の必要がないのでより広い粘度の範囲でレジストインクを使用できる。このためより厚みのあるレジストパターンも形成しやすい。さらに、吐出量、吐出速度を制御することによりレジストパターンの厚み、幅を制御することも出来る。レジストパターンがポジティブである場合には、めっきを厚くでき、導体の抵抗値を下げることもできる。
【００２７】
転写ローラ11の内部には、転写ローラ11上に吐出されたレジストインクを硬化させる硬化反応機構である加熱機構の例として、ヒーター13が配置されている。本実施例においては、レジストインクに熱硬化型のものを用いる。転写ローラ11の内側に硬化反応機構として加熱機構を用いる場合には、転写ローラ11には熱容量の小さなものを用いることが好ましい。
【００２８】
転写ローラ11の少なくとも表面は撥インク性を有するよう構成されている。これにより、転写ローラ11上に吐出されたインクが拡がることを防止することができる。ここで転写ローラ11の材料自体に撥インク性を有するものを用いてもよいし、転写ローラ11に所定の表面処理をすることにより撥インク性を持たせてもよい。
【００２９】
転写ローラ11の回転方向に対しディスペンサー12よりも上流側には、転写ローラ11上に剥離剤塗布装置14が設けられている。剥離剤とは転写ローラ11の表面からレジストパターンが剥がれやすいようにするための材料であって、液状または固形のシリコンが好適に用いられる。剥離剤塗布装置14は、用いられる剥離剤を適切に塗布することができる既知の構成でよく、ブラシを用いるものや、スプレーを用いるものなどが挙げられる。また転写ローラ11の転写位置より下流側、かつ剥離剤塗布装置14よりも上流側には、転写ローラ11に付着した剥離剤や粉塵、転写されなかったレジストパターンなどを除去するためのクリーニング装置15が配置されている。クリーニング装置15は、スキージやブレードなどの板状部材を好適に用いることができる。
【００３０】
搬送ローラ10による基板搬送路において転写ローラ11よりも上流側には、基板１が転写ローラ11と接触する転写位置に搬送される前にこれをあらかじめ加熱する基板予熱手段の例として、予熱ヒータ16が配置されている。また、基板１の搬送路をはさんで転写ローラ11と対向する位置にはプラテンローラ17が配置されており、転写ローラ11とプラテンローラ17によって基板１に圧力を加えながら挟持搬送する。この転写ローラ11およびプラテンローラ17による搬送力は搬送ローラ10による搬送力を上回るよう設定されており、転写中に転写ローラ11表面に対して基板１がずれることがないように構成されている。
【００３１】
上記構成を有するレジストパターン形成装置を用いて、レジストパターンを、ひいては導体パターンおよびプリント配線板を形成する工程について説明する。
【００３２】
まず転写ローラ11を不図示の駆動手段によって図中矢印方向（基板１の搬送方向）に回転させ、その表面に剥離剤塗布装置14によって剥離剤を塗布する。そして不図示の制御装置から送られる信号に基づき、ディスペンサー12からレジストインクを吐出して転写ローラ11上にレジストパターンを描く。
【００３３】
転写ローラ11上に形成されたレジストパターンは、ヒーター13によって転写ローラ11の表面を例えば２００度程度に加熱しておくことにより、転写ローラ11側から硬化させる。ここで、硬化速度（転写ローラ11の表面温度）および転写速度（搬送ローラ10による搬送速度）を不図示の制御装置によって相対的に調整することにより、レジストインクの転写ローラ11側は硬化し、かつ外表面は完全には硬化していない状態（以下、半硬化という）で転写を行う。
【００３４】
図２（ａ）に示すように、基板１は、例えばエポキシ系プリプレグの絶縁層20に厚さ18μｍの銅箔21を片面に積層した、1.6ｍｍ厚のエポキシ系片面銅張積層板(FR-4)を用いることができる。基板１は予熱ヒータ16によって約110度に予熱しつつ、転写ローラ11上に形成されたレジストパターン18とタイミングを同期させて転写位置まで搬送する。図２（ｂ）に示すように、レジストパターンは、転写ローラ11が基板１に圧接されること、転写ローラ11および基板１が加熱されていること、およびレジストパターンが半硬化であることにより、転写ローラ11から基板１へと転写される。
【００３５】
図２（ｃ）に示すように、転写されたレジストパターン18は、形成すべき導体パターン22を被覆するような状態で銅箔の上に形成される。ここで使用するレジストインクは、硬化後に銅箔のエッチング液(塩化銅系)に対する耐性を備え、さらに剥離液(NaOH水溶液)で容易に剥がれるアクリル樹脂組成物を用いる。
【００３６】
次に、転写後にレジストパターンが十分硬化した段階で、図２（ｄ）に示すように、レジストパターンに覆われていない部分の銅箔を塩化銅系エッチング液を用いて除去する。最後に、図２（ｅ）に示すように、レジストパターンを銅箔からNaOH水溶液を用いて剥離除去し、導体パターン22を形成させ、所望のプリント配線板２を得ることができる。
【００３７】
ここで、上述した半硬化について、図３を参照して説明する。図３（ａ）に示すように、転写ローラ11上にレジストインクが吐出され、レジストパターン18が形成される。ここで転写ローラ11がヒーター13によって加熱されていることにより、レジストパターン18は転写ローラ11に接触している部分から硬化が開始し、図３（ｂ）に示すように硬化部18ａと未硬化部18ｂとが形成され、徐々に硬化部18ａが増加していくことになる。そして未硬化部18ｂが残っている段階で転写を行うことにより、図３（ｃ）に示すように基板１には未硬化部18ｂが密着するため転写性がよく、また硬化部18ａは固まっていることから転写ローラ11には残留が少ないため好適である。
【００３８】
また、転写ローラ11が加熱されていることから、レジストインクは転写ローラ11に吐出された瞬間から硬化が開始される。従って、インクの拡がりが小さく、意図した通りのレジストパターン18を形成することができ、パターンのファイン化（微細化）を図ることができる。
【００３９】
また、本実施例では転写ローラ11の内部に硬化反応機構として加熱機構を用いているが、基板ごと加熱してレジストパターンを硬化させる熱乾燥炉に対し、転写ローラ11上のレジストパターンのみを硬化させるため、硬化効率がよい。また必要な熱量が圧倒的に小さくてよいことから、周囲に放出する熱も多くはないため、空調管理しているクリーンルーム内でも導入可能な装置とすることができる。
【００４０】
なお、上記実施例においては硬化反応機構として加熱機構（ヒーター13）を用いているが、紫外線照射機構、例えば紫外線ランプを用いることができる。このときレジストインクとしては光硬化型のものを用いる必要がある。また、紫外線ランプは転写ローラ11の外側（かつディスペンサー12と転写位置の間）に設けることも可能であるが、転写ローラ11の内側に配置してレジストパターンを転写ローラ11側から硬化させることが好ましい。このとき、転写ローラ11には透光性の素材を用いる必要がある。
【００４１】
また、転写手段として転写ローラ11を例に用いて説明しているが、無端状のベルトを複数のローラで張架した転写ベルトを用いることでもよい。これにより、少なくともディスペンサー12と対向する位置を平面とすることができ、形成するパターンの精度を向上させることが可能となる。
【００４２】
｛第２実施例｝
本発明に係るレジストパターン形成装置および形成方法の第２実施例について説明する。図４は第２実施例に係るレジストパターン形成装置の概略構成を説明する図であって、上記第１実施例と説明の重複する部分については同一の符号を付して説明を省略する。
【００４３】
上記第１実施例は基板１の片面にレジストパターン等を形成する例であったが、本実施例は両面に形成する例である。ここで、背景技術に挙げたインクジェット方式を採用する場合、インク吐出ヘッドから上向きにインクを吐出することは困難がある。吐出したインクが重力によって吐出口周辺に戻って付着し、機能が損なわれてしまうためである。
【００４４】
上述のインクジェットの代わりにディスペンサーを用いて直接レジストインクを描画した場合は、レジストインクの粘度を上げて使用できるため吐出口周辺の付着を抑制できる。さらに、転写ローラ11を用いた場合は、ディスペンサーは転写ローラ11に向かって横方向に吐出する配置とすることができるため、基板の下側から転写を行うことが可能で、この場合はより吐出口周辺の付着を抑制できる。
【００４５】
そこで、上記第１実施例においては転写ローラ11と対向する位置にはプラテンローラ17を設けていたが（図１参照）、本実施例においては図４（ａ）に示すように、搬送ローラ10による基板１の搬送面に対し、上下両側の対向する位置に転写ローラ11を配置している。またこれに伴って、ディスペンサー12、剥離剤塗布装置14、クリーニング装置15も１つずつ配置されている。
【００４６】
これにより、図４（ａ）に示すように、基板１の表裏両面に一度にレジストパターン18を形成することができる。従って、基板１の片面ずつにレジストパターンを形成する場合と比して、作業時間の大幅な短縮を図ることができる。また２台のディスペンサー装置を並べる必要もなく、また２台のディスペンサー装置の間で基板を裏返す必要もないことから、装置設備の小型化を図ることができる。
【００４７】
また図４（ａ）に示すように、基板１の搬送面の下側に配置した転写ローラ11の下方には、転写ローラ11をレジスト液に浸すためのレジスト液槽23と、レジスト液槽23を上下動させるためのステージ24とが設けられている。
【００４８】
そして、基板１の片面を全面塗り潰し（ベタ塗り)する場合には、ディスペンサー12によってレジストインクを吐出するのではなく、図４（ｂ）に示すように、ステージ24によってレジスト液槽23を上昇させ、転写ローラ11の下端をレジスト液に浸す。ディスペンサー12によって全面にレジストインクを吐出すれば作業時間が大幅に増大するが、本実施例のようにレジスト液槽23を用いることにより、作業時間の増大を招くことはない。
【００４９】
なお、上記各実施例において、転写されたレジストパターン18は、形成すべき導体パターン22を被覆するネガティブレジストであった。しかし本発明はこれに限定するものではなく、レジストパターンが形成すべき導体パターン以外の部分を被覆するポジティブレジストであってもよい。その場合、前記基板上にレジストパターンを形成した後、該レジストパターンの無い部分にめっき法にて金属パターンを形成し、その後に基板からレジストパターンを剥離除去することにより導体パターンを形成することができる。
【００５０】
また、転写ローラ11、ディスペンサー12、ヒーター13などからなる一連のレジストパターン形成手段を、上記第１実施例においては搬送路に対して上側に、第２実施例においては上下両側に配置しているが、下側のみに配置することによっても、同様の効果を得ることのできるレジストパターン形成装置とすることができる。
【００５１】
上記説明した如く、本発明によれば、インクジェット方式を用いてレジストパターンの形成を実用化することが可能となる。従って、マスクパターンを必要とせず、現像工程も必要としないため導体パターンの形成時間を大幅に短縮でき、現像廃液処理による環境負荷をなくすことが可能であり、産業上有用である。
【００５２】
また、本発明は、同様な利用方法により、プリント配線板用ソルダーレジストのパターン形成、シンボル印刷、更にフラットパネルディスプレイの製造にも応用することができる。
【産業上の利用可能性】
【００５３】
本発明は、導体パターンの形成に利用でき、プリント配線板の製造に好適に利用することができる。
【図面の簡単な説明】
【００５４】
【図１】第１実施例に係るレジストパターン形成装置の概略構成を説明する図である。
【図２】レジストパターン形成方法を説明する概略工程図である。
【図３】転写の際のレジストパターンの状態を説明する図である。
【図４】第２実施例に係るレジストパターン形成装置の概略構成を説明する図である。
【図５】従来のフォトリソグラフィ法による製造工程の一例を説明する図である。
【符号の説明】
【００５５】
１ …基板
２ …プリント配線板
10 …搬送ローラ
11 …転写ローラ
12 …ディスペンサー
13 …ヒーター
14 …剥離剤塗布装置
15 …クリーニング装置
16 …予熱ヒータ
17 …プラテンローラ
18 …レジストパターン
18ａ …硬化部
18ｂ …未硬化部
20 …絶縁層
21 …銅箔
22 …導体パターン
23 …レジスト液槽
24 …ステージ
100 …銅張積層板
101 …絶縁層
102 …銅箔
102ａ …導体パターン
103 …フォトレジスト層
103ａ …レジストパターン
104 …フォトマスク
【図１】
2006202878.tif 000003
【図２】
2006202878.tif 000004
【図３】
2006202878.tif 000005
【図４】
2006202878.tif 000006
【図５】
2006202878.tif 000007